【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
液透過性の表面シート、液不透過性の防漏シート及び両シート間に介在された液保持性の吸収体を備えた吸収性本体と、該吸収性本体の外側に位置して該吸収性本体を固定している外層体とからなり、着用者の脚廻りに配されるレッグ部に、レッグギャザー形成用のレッグ部弾性部材が伸長状態で配されており、前記外層体は、外層シートと内層シートとが積層された構造を有し、外層シートと内層シートとの間に前記レッグ部弾性部材が固定されている、吸収性物品の製造方法であって、
前記外層シートの連続シートと前記内層シートの連続シートとの間に複数本の前記レッグ部弾性部材を伸長状態で導入して、両連続シート同士を貼り合わせる貼り合わせ工程、及び貼り合わせ工程後に前記レッグ部弾性部材を切断する切断工程を具備し、
前記貼り合わせ工程においては、第１固定手段としての接着剤を、前記両連続シートの少なくとも一方に、該接着剤により該両連続シート同士が接着された接着領域Ｐ１と該接着剤によっては該両連続シート同士が接着されていない非接着領域Ｐ２とが形成されるように塗布すると共に、第２固定手段としての接着剤を、前記接着領域Ｐ１と非接着領域Ｐ２との境界部近傍に、第２固定手段としての接着剤を塗工した第２固定手段部における接着剤の坪量が、第１固定手段としての接着剤を塗工した第１固定手段部における接着剤の坪量よりも大きくなるように塗布し、
前記切断工程においては、複数本の前記レッグ部弾性部材を、前記吸収性本体が重ねられる前記第２固定手段部間の部位において切断する、吸収性物品の製造方法。
【請求項２】
請求項１に記載の吸収性物品の製造方法において、
前記第１固定手段としての接着剤を、該接着剤により該両連続シート同士が接着された接着領域Ｐ１と該接着剤によっては該両連続シート同士が接着されていない非接着領域Ｐ２とが形成されるように塗布するのに代えて、
前記第１固定手段としての接着剤を、該接着剤により該両連続シート同士が接着された接着領域が、該両連続シートの流れ方向に連続的に形成されるように塗布する、吸収性物品の製造方法。
【請求項３】
複数本の前記レッグ部弾性部材を、束ねることなく切断する、請求項１又は２記載の吸収性物品の製造方法。
【請求項４】
複数本の前記レッグ部弾性部材を、束ねて切断する、請求項１又は２記載の吸収性物品の製造方法。
【請求項５】
複数本の前記レッグ部弾性部材の切断に、ロータリーダイカッター又はヒートシールカッターを用いる請求項１〜４の何れかに記載の吸収性物品の製造方法。
【請求項６】
互いに貼り合わされる二枚の連続シートの内の少なくとも一方の連続シートに、第１固定手段としての接着剤を所定のパターンで塗工する工程と、弾性部材が前記接着剤を介して両連続シート間に固定されるように、該弾性部材を、両連続シート間に導入し、両連続シート同士を貼り合わせる工程と、前記弾性部材を、所定の部位において分断する工程と、前記弾性部材の分断の前後又は分断と同時に、該弾性部材の所定の部位を、第２固定手段により、両連続シートの少なくとも一方に固定する固定工程とを具備する、部分的に弾性化された積層シートの製造方法。
【手続補正２】
【補正対象書類名】明細書
【補正対象項目名】発明の名称
【補正方法】変更
【補正の内容】
【発明の名称】吸収性物品の製造方法
【手続補正３】
【補正対象書類名】明細書
【補正対象項目名】０００１
【補正方法】変更
【補正の内容】
【０００１】
本発明は、フィット性に優れ、装着感及び漏れ防止性に優れた使い捨ておむつ等の吸収性物品の製造方法、及び吸収性物品の製造に好ましく用いられる、部分的に弾性化された積層シートの製造方法に関する。
【手続補正４】
【補正対象書類名】明細書
【補正対象項目名】０００６
【補正方法】変更
【補正の内容】
【０００６】
従って、本発明の目的は、製品開発時に、脚廻りに適正な締め付け力が得られるように、レッグギャザー形成用の弾性部材の伸長応力やその配設伸張率を自由に決定でき、脚廻りの柔軟性の悪化や肌への刺激等の不都合を伴わずに、フィット性や吸収性能を向上させることのできる使い捨ておむつ等の吸収性物品の製造方法、及び吸収性物品の製造に好ましく用いられる積層シートを効率的に製造することのできる積層シートの製造方法を提供することにある。
【手続補正５】
【補正対象書類名】明細書
【補正対象項目名】０００７
【補正方法】変更
【補正の内容】
【０００７】
本発明は、液透過性の表面シート、液不透過性の防漏シート及び両シート間に介在された液保持性の吸収体を備えた吸収性本体と、該吸収性本体の外側に位置して該吸収性本体を固定している外層体とからなり、着用者の脚廻りに配されるレッグ部に、レッグギャザー形成用のレッグ部弾性部材が伸長状態で配されており、前記外層体は、外層シートと内層シートとが積層された構造を有し、外層シートと内層シートとの間に前記レッグ部弾性部材が固定されている、吸収性物品の製造方法であって、前記外層シートの連続シートと前記内層シートの連続シートとの間に複数本の前記レッグ部弾性部材を伸長状態で導入して、両連続シート同士を貼り合わせる貼り合わせ工程、及び貼り合わせ工程後に前記レッグ部弾性部材を切断する切断工程を具備し、前記貼り合わせ工程においては、第１固定手段としての接着剤を、前記両連続シートの少なくとも一方に、該接着剤により該両連続シート同士が接着された接着領域Ｐ１と該接着剤によっては該両連続シート同士が接着されていない非接着領域Ｐ２とが形成されるように塗布すると共に、第２固定手段としての接着剤を、前記接着領域Ｐ１と非接着領域Ｐ２との境界部近傍に、第２固定手段としての接着剤を塗工した第２固定手段部における接着剤の坪量が、第１固定手段としての接着剤を塗工した第１固定手段部における接着剤の坪量よりも大きくなるように塗布し、前記切断工程においては、複数本の前記レッグ部弾性部材を、前記吸収性本体が重ねられる前記第２固定手段部間の部位において切断する、吸収性物品の製造方法を提供することにより、前記目的を達成したものである（以下、第１発明というときには、この発明をいう）。
【手続補正６】
【補正対象書類名】明細書
【補正対象項目名】０００８
【補正方法】変更
【補正の内容】
【０００８】
また、本発明は、互いに貼り合わされる二枚の連続シートの内の少なくとも一方の連続シートに、第１固定手段としての接着剤を所定のパターンで塗工する工程と、弾性部材が前記接着剤を介して両連続シート間に固定されるように、該弾性部材を、両連続シート間に導入し、両連続シート同士を貼り合わせる工程と、前記弾性部材を、所定の部位において分断する工程と、前記弾性部材の分断の前後又は分断と同時に、該弾性部材の所定の部位を、第２固定手段により、両連続シートの少なくとも一方に固定する固定工程とを具備する、部分的に弾性化された積層シートの製造方法を提供することにより、前記目的を達成したものである（以下、第２発明というときには、この発明をいう）。
【手続補正７】
【補正対象書類名】明細書
【補正対象項目名】０００９
【補正方法】変更
【補正の内容】
【０００９】
第１発明の吸収性物品の製造方法によれば、製品開発時に、脚廻りに適正な締め付け力が得られるように、レッグギャザー形成用の弾性部材の伸長応力やその配設伸張率を自由に決定できるため、脚廻りの柔軟性の悪化や肌への刺激等の不都合を伴わずに、フィット性や吸収性能の向上させた使い捨ておむつ等の吸収性物品を得ることができる。
【手続補正８】
【補正対象書類名】明細書
【補正対象項目名】００１０
【補正方法】変更
【補正の内容】
【００１０】
第２発明の積層シートの製造方法によれば、使い捨ておむつ等の吸収性物品の製造に好ましく用いられる、部分的に弾性化された積層シートであって、柔軟性の悪化等の不都合を伴わずに、フィット性や吸収性能の向上させた使い捨ておむつ等を容易に得ることができる積層シートを、容易且つ経済的に製造することができる。
【手続補正９】
【補正対象書類名】明細書
【補正対象項目名】００１１
【補正方法】変更
【補正の内容】
【００１１】
以下、本発明をその好ましい実施形態に基づいて説明する。
本発明の吸収性物品の製造方法の第１実施形態で製造する使い捨ておむつ１は、図１及び２に示すように、液透過性の表面シート２、液不透過性の防漏シート３及び両シート２，３間に介在された液保持性の吸収体４を具備し、着用者の脚廻りに配されるレッグ部７０，７０に、レッグギャザー形成用の弾性部材７１が伸長状態で配されているパンツ型の使い捨ておむつである。